(57)【特許請求の範囲】
【請求項１】
デジタル移動システムにおいて高速データ送信を行う方法において、
移動ステーションと固定移動ネットワークとの間の無線経路を経て移動ステーションに割り当てられたレート適応されたトラフィックチャンネルにデータを送信し、
（ｎ−１）＊Ｒch＜Ｒuser＜ｎ＊Ｒchの範囲内のデータレートＲuserを必要とする高速ユーザデータ信号にｎ個の並列なレート適応されたトラフィックチャンネルを割り当て、但し、Ｒchは、上記トラフィックチャンネルのいずれか１つの最大送信レートであり、そしてｎ＝２、３・・・であり、
更に、高速ユーザデータ信号を上記並列なトラフィックチャンネルを経て送信するための送信フレームへと分割して、ｎ−１のトラフィックチャンネルの送信フレームにおける全ての情報ビットがユーザデータビットを保持するようにし、上記ｎ−１のトラフィックチャンネルの各々のユーザデータ転送レートはＲchであり、そしてｎ番目のトラフィックチャンネルの送信フレームにユーザデータビットを保持する情報ビットの数は、他のｎ−１のトラフィックチャンネルから残されたユーザデータ転送レートＲuser−（ｎ−１）＊Ｒchに対応し、そして上記ｎ番目のトラフィックチャンネルの送信フレームにおける残りの情報ビットは、スタフビットを保持することを特徴とする方法。
【請求項２】
ＣＣＩＴＴ推奨勧告に基づくＶ．１１０フレームを並列なトラフィックチャンネルに送信する請求項１に記載の方法。
【請求項３】
移動ステーション及び固定の移動ネットワークが移動ステーションに割り当てられたトラフィックチャンネル上で無線経路を経てデータ送信を行うことのできるデータ送信器及びデータ受信器を備えたデジタル移動システムにおいて、
上記固定の移動ネットワークは、（ｎ−１）＊Ｒch＜Ｒuser＜ｎ＊Ｒchの範囲内のデータ転送レートＲuserを必要とする高速ユーザデータ信号にｎ個の並列なレート適応されたトラフィックチャンネルを割り当てるよう構成され、但し、Ｒchは、個々のトラフィックチャンネルの最大送信レートであり、そしてｎ＝２、３・・・であり、
更に、上記データ送信器は、高速ユーザデータ信号を上記並列なトラフィックチャンネルを経て送信するための送信フレームへと分割して、ｎ−１のトラフィックチャンネルの送信フレームにおける全ての情報ビットがユーザデータビットを保持するように構成され、上記ｎ−１のトラフィックチャンネルの各々のユーザデータ転送レートは、Ｒchであり、そしてｎ番目のトラフィックチャンネルの送信フレームにユーザデータビットを保持する情報ビットの数は、他のｎ−１のトラフィックチャンネルから残されたユーザデータ転送レートＲuser−（ｎ−１）＊Ｒchに対応し、そして上記ｎ番目のトラフィックチャンネルの送信フレームにおける残りの情報ビットは、スタフビットを保持することを特徴とするシステム。
【請求項４】
上記トラフィックチャンネルは、Ｖ．１１０のレート適応されたチャンネルであり、そして送信フレームは、ＣＣＩＴＴ推奨勧告に基づくＶ．１１０フレームである請求項３に記載のシステム。
【請求項５】
上記トラフィックチャンネルの最大送信レートＲchは、９．６Ｋｂｐｓである請求項３又は４に記載のシステム。
【請求項６】
上記システムは、ＧＳＭ移動システム又はそれをベースとする移動システムである請求項３、４又は５に記載のシステム。
【請求項７】
Ｒchが個々のトラフィックチャンネルの最大送信レートであり、そしてｎ＝２、３・・・であるとして、高速データ信号によって必要とされるデータ転送レートＲuserが（ｎ−１）＊Ｒch＜Ｒuser＜ｎ＊Ｒchの範囲内であるときに、移動ステーションと移動通信ネットワークとの間の無線インターフェイスを経て高速データ信号を送信するためにｎ個の並列なレート適応されたトラフィックチャンネルを移動ステーションに割り当てることのできるデジタル移動通信システムのための移動ステーションにおいて、
データ送信器及びデータ受信器を備えており、
上記データ送信器は、高速ユーザデータ信号を上記割り当てられた並列なトラフィックチャンネルを経て送信するための送信フレームへと分割して、ｎ−１のトラフィックチャンネルの送信フレームにおける全ての情報ビットがユーザデータビットを保持するように構成され、上記ｎ−１のトラフィックチャンネルの各々のユーザデータ転送レートは、Ｒchであり、そしてｎ番目のトラフィックチャンネルの送信フレームにユーザデータビットを保持する情報ビットの数は、他のｎ−１のトラフィックチャンネルから残されたユーザデータ転送レートＲuser−（ｎ−１）＊Ｒchに対応し、そして上記ｎ番目のトラフィックチャンネルの送信フレームにおける残りの情報ビットは、スタフビットを保持することを特徴とする移動ステーション。
【発明の詳細な説明】
発明の分野
本発明は、デジタル移動通信ネットワークにおける高速データ送信に係る。
先行技術の説明
時分割多重アクセス（ＴＤＭＡ）型のテレコミュニケーションシステムにおいては、無線経路の通信が時分割され、そして各々多数のタイムスロットより成る次々のＴＤＭＡフレームにおいて行われる。各タイムスロットにおいて、高周波バーストの形態で短い情報パケットが送信され、高周波バーストは、限定された時間巾を有し、多数の変調されたビットで構成される。タイムスロットは、主として、制御及びトラフィックチャンネルを搬送するのに使用される。トラフィックチャンネルは、スピーチ及びデータを転送するのに使用される。制御チャンネルは、ベースステーションと移動ステーションとの間の信号伝送に使用される。ＴＤＭＡ無線システムの一例は、パンヨーロピアンデジタル移動システムＧＳＭ（移動通信用のグローバルなシステム）である。
従来のＴＤＭＡシステムにおいては、データ又はスピーチを送信するための各移動ステーションへの通信に１つのトラフィックチャンネルタイムスロットが割り当てられる。それ故、例えば、ＧＳＭシステムは、高周波搬送波において異なる移動ステーションへの８個の並列接続を含む。１つのトラフィックチャンネルにおける最大データ転送レートは、使用可能な帯域巾及びチャンネルコードと、送信に使用されるエラー補正とに基づいて、比較的低速のレベル、例えば、ＧＳＭシステムでは９．６Ｋｂｐｓ又は１２Ｋｂｐｓに制限される。ＧＳＭシステムでは、低いスピーチコードレートに対していわゆる半レート（最大４．８Ｋｂｐｓ）のトラフィックチャンネルを選択することもできる。この半レートトラフィックチャンネルは、移動ステーションが１つおきのフレームのみの指定のタイムスロットで動作するとき、即ち半分のレートで動作するときに確立される。別の移動ステーションは、１つおきのフレームの同じ指定のタイムスロットにおいて動作する。従って、移動ステーションの数で測定されるシステム容量を倍増することができ、即ち搬送波周波数において１６個の移動ステーションを同時に動作することができる。
最近では、移動ネットワークにおける高速データサービスの必要性が著しく増加している。例えば、ＩＳＤＮ（サービス総合デジタル網）回路交換デジタルデータサービスの場合には少なくとも６４Ｋｂｐｓの送信レートが必要とされる。公衆交換電話ネットワーク（ＰＳＴＮ）のデータサービス、例えば、モデム及びＧ３型テレファックスターミナルは、１４．４Ｋｂｐｓのような高い送信レートを必要とする。９．６Ｋｂｐｓを越える送信レートを必要とする移動データ送信の増大する領域の１つは、移動ビデオサービスである。このようなサービスは、例えば、カメラによるセキュリティサービス及びビデオデータベースを含む。映像送信の最小データレートは、例えば、１６又は３２Ｋｂｐｓである。
しかしながら、現存の移動ネットワークの送信レートは、これらの新たな要求を満足するに充分なものではない。
出願中の特許出願ＷＯ９５／３１８７８（本発明の出願日には未公開）に開示された構成体は、無線経路の２つ以上の並列なトラフィックチャンネル（サブチャンネル）を１つの高速データ接続に割り当てることに関連している。高速データ信号は、送信器において、これら並列のサブチャンネルへと分割され、無線経路を経て送信されて、受信器において回復される。この解決策は、割り当てられるトラフィックチャンネルの数に基づいて、従来のレートに比して８倍程度の送信レートでデータ送信サービスを供給することができる。例えば、ＧＳＭシステムでは、１９．２Ｋｂｐｓの全ユーザデータレートが２つの並列な９．６Ｋｂｐｓサブチャンネルによって得られ、各チャンネルは、ＧＳＭシステムの既存の透過的９．６Ｋｂｐｓベアラサービスと同様にレート適応される。
並列なトラフィックチャンネルの使用に関連した問題は、使用可能な並列なサブチャンネル間にたとえ均一に分布できたとしてもＧＳＭシステムの既存の方法にレート適応することのできないデータレートである。
例えば、１４．４Ｋｂｐｓのユーザデータレート（例えば、ＩＴＵ−Ｔ推奨勧告Ｖ．３２ビットに基づく）は、各々のデータレートが７．２Ｋｂｐｓでなければならない２つの透過的ＧＳＭトラフィックチャンネルを必要とする（２ｘ７．２Ｋｂｐｓ＝１４．４Ｋｂｐｓ）が、ＧＳＭシステムには、７．２Ｋｂｐｓのサブチャンネルデータレートに対するレート適応が存在しない。
対応的に、例えば、４０Ｋｂｐｓのユーザデータレート（ＩＴＵ−Ｔ推奨勧告Ｖ．１２０）は、各々データレートが８Ｋｂｐｓでなければならない５つの透過的なＧＳＭトラフィックチャンネルを必要とする（４０Ｋｂｐｓ：５）が、この場合も、ＧＳＭシステムには、このようなサブチャンネルデータレートに対するレート適応が存在しない。
別の問題は、所要数の透過的ＧＳＭトラフィックチャンネルに均一に分割することのできないデータレートである。例えば、５６Ｋｂｐｓのユーザデータレート（ＩＴＵ−Ｔ推奨勧告Ｖ．１１０）は、少なくとも６個の透過的ＧＳＭトラフィックチャンネルを必要とするが、各サブチャンネルの（Ｖ．１１０）フレームが同数のデータビット（５６Ｋｂｐｓ：６＝９３３３．３３３ｂｐｓ）を搬送するように６つの並列なサブチャンネルに分割することはできない。
発明の要旨
本発明の目的は、並列なトラフィックチャンネルを使用する高速データ送信において異なる送信レートのレート適応をサポートする方法及びテレコミュニケーションシステムを提供することである。
本発明の第１の特徴は、デジタル移動通信システムにおいて高速データ送信を行う方法であって、移動ステーションと固定移動ネットワークとの間の無線経路を経て、移動ステーションに割り当てられたレート適応されたトラフィックチャンネルにデータを送信する段階を備えた方法にある。本発明によれば、この方法は、（ｎ−１）＊Ｒch＜Ｒuser＜ｎ＊Ｒchの範囲内のデータレートＲuserを必要とする高速ユーザデータ信号にｎ個の並列なレート適応されたトラフィックチャンネルを割り当て、但し、Ｒchは、上記トラフィックチャンネルのいずれか１つの最大送信レートであり、そしてｎ＝２、３・・・であり、更に、高速ユーザデータ信号を上記並列なトラフィックチャンネルを経て送信するための送信フレームへと分割して、ｎ−１のトラフィックチャンネルの送信フレームにおける全ての情報ビットがユーザデータビットを保持するようにし、上記ｎ−１のトラフィックチャンネルの各々のユーザデータ転送レートはＲchであり、そしてｎ番目のトラフィックチャンネルの送信フレームにユーザデータビットを保持する情報ビットの数は、他のｎ−１個のトラフィックチャンネルから残されたユーザデータ転送レートＲuser−（ｎ−１）＊Ｒchに対応し、そして上記ｎ番目のトラフィックチャンネルの送信フレームにおける残りの情報ビットは、スタフビットを保持することを特徴とする。
本発明の第２の特徴は、移動ステーション及び固定の移動ネットワークが移動ステーションに割り当てられたトラフィックチャンネル上で無線経路を経てデータ送信を行うことのできるデータ送信器及びデータ受信器を備えたデジタル移動システムにある。本発明によれば、このシステムは、固定移動ネットワークが、（ｎ−１）＊Ｒch＜Ｒuser＜ｎ＊Ｒchの範囲内のデータ転送レートＲuserを必要とする高速ユーザデータ信号にｎ個の並列なレート適応されたトラフィックチャンネルを割り当てるよう構成され、但し、Ｒchは、個々のトラフィックチャンネルの最大送信レートであり、そしてｎ＝２、３・・・であり、更に、データ送信器が、高速ユーザデータ信号を上記並列なトラフィックチャンネルを経て送信するための送信フレームへと分割して、ｎ−１のトラフィックチャンネルの送信フレームにおける全ての情報ビットがユーザデータビットを保持するように構成され、上記ｎ−１のトラフィックチャンネルの各々のユーザデータ転送レートは、Ｒchであり、そしてｎ番目のトラフィックチャンネルの送信フレームにユーザデータビットを保持する情報ビットの数は、他のｎ−１個のトラフィックチャンネルから残されたユーザデータ転送レートＲuser−（ｎ−１）＊Ｒchに対応し、そして上記ｎ番目のトラフィックチャンネルの送信フレームにおける残りの情報ビットは、スタフビットを保持することを特徴とする。
本発明によれば、高速ユーザデータ信号がトラフィックチャンネルｎ個分の容量を必要とする場合に、ユーザデータは、ｎ−１個のトラフィックチャンネルの容量が完全に使用され、即ち各送信フレームの各情報ビットがユーザデータを保持するようにトラフィックチャンネルに分割される。残りのユーザデータ（ｎ−１個のチャンネルの容量を越えるユーザデータ）は、ｎ番目のトラフィックチャンネルのフレームの所要数の情報ビットに保持される。この最後に述べたトラフィックチャンネルの残りの「余分」な情報ビットはスタフビットを保持する。
それ故、全てのトラフィックチャンネルの送信フレームは、送信されるべき高速信号のデータレートとは独立して固定数の情報ビットを含む。情報ビットの数は、フレームのデータレートが固定であって且つ移動通信システムのトラフィックチャンネルの標準レート適応、例えばＧＳＭシステムの９．６Ｋｂｐｓに対応するようなものである。本発明によれば、既に存在し且つ標準化される全てのユーザ送信レートは、単一のトラフィックチャンネル内で更に別のレート適応を行うことにより、１つの送信レートにレート適応されている相互に同一のトラフィックチャンネルを経て転送することができる。高速ユーザデータ信号のレート適応は、１つのトラフィックチャンネルのみのフレームにおいて変更を必要とするだけであり、この変更は、他のトラフィックチャンネルから残された送信レートに対応するようにユーザデータビット及びスタフビットの相対的な割合を選択することに関連する。他の並列なトラフィックチャンネルは、全量のユーザデータを保持し、それ故、完全に標準的なレート適応されたトラフィックチャンネルである。
例えば、ＧＳＭシステムでは、標準的な９．６Ｋｂｐｓのレート適応された透過的なトラフィックチャンネルと、ＣＣＩＴＴ推奨勧告Ｖ．１１０に基づく４８情報ビットの送信フレームとを使用することができる。このような場合に、ユーザデータ送信に使用される情報ビットの数をＶ．１１０フレームにおいて０と４８との間で変えることにより、０と９．６Ｋｂｐｓとの間の異なるユーザデータレートを９．６Ｋｂｐｓのレート適応されたトラフィックチャンネルを経て送信することができる。
スタフビットを１つのトラフィックチャンネルに集中することにより標準的なデータレートで送信を行うことができる。ユーザデータビット及びスタフビットをトラフィックチャンネルに均一に分布することは、５６又は６４Ｋｂｐｓのような全ての標準的な送信レートで行うことができず、ビットの「断片」をフレームにおいて送信しなければならない。実際に、これは、長いユーザデータバッファを送信に必要とする。本発明においては、固定数のユーザデータビット及びスタフビットが最後のトラフィックチャンネルにおいて均一に送信され、それ故、個別のバッファは必要とされず、上記問題に遭遇することはない。
【図面の簡単な説明】
以下、添付図面を参照して、本発明の好ましい実施形態を詳細に説明する。
図１は、本発明を適用することのできる移動システムの一部分の図である。
図２は、無線経路を経て２つのＴＤＭＡタイムスロットで高速データを送信するところを示す図である。
図３は、ＧＳＭシステムの移動ステーションＭＳとインターワーキングファンクションＩＷＦとの間の多数のトラフィックチャンネルの高速データ送信をサポートする本発明のネットワークアーキテクチャーを示す図である。
図４は、Ｖ．１１０フレーム構造を示す図である。
図５は、ｎ個の並列なトラフィックチャンネルのフレームにおける本発明のデータ送信を示す図である。
図６は、５６Ｋｂｐｓのユーザレートを本発明により６つの９．６Ｋｂｐｓのトラフィックチャンネルに適応するところを示す図である。
好ましい実施形態の詳細な説明
本発明は、パンヨーロピアンデジタル移動通信システムＧＳＭ、ＤＣＳ１８００（デジタルコミュニケーションシステム）、ＥＩＡ／ＴＩＡ暫定規格ＩＳ／４１．３に基づく移動通信システム等のようなデジタルＴＤＭＡ型の移動通信システムにおける高速データ送信に適用される。本発明は、ＧＳＭ型の移動システムを一例として用いて以下に説明するが、これらに限定されるものではない。図１は、ＧＳＭシステムの基本的な構造要素を非常に簡単に示すもので、それらの特徴やシステムの他の要素は示していない。ＧＳＭシステムの詳細な説明については、ＧＳＭ推奨勧告、及び「移動通信用のＧＳＭシステム（The GSM System for Mobile Communications）」、Ｍ．モーリ及びＭ．ポーテット著（パライゼウ、フランス、１９９２年、ＩＳＢＮ：２−９５０７１９０−０７−７）を参照されたい。
移動サービス交換センターは、入呼び及び出呼びの交換を制御する。又、ＰＳＴＮの交換機と同様の機能を実行する。更に、ネットワーク加入者レジスタと共に、移動電話トラフィックのみの特徴である位置管理のような機能も実行する。移動ステーションＭＳは、ベースステーションシステムＢＳＳを経てＭＳＣに接続される。ベースステーションシステムＢＳＳは、ベースステーションコントローラＢＳＣ及びベースステーションＢＴＳより成る。明瞭化のために、図１は、２つのベースステーションがベースステーションコントローラＢＳＣに接続されそして１つの移動ステーションＭＳがベースステーションの有効到達エリア内に配置されたベースステーションシステムのみを示している。
ＧＳＭシステムは、時分割多重アクセス（ＴＤＭＡ）型のシステムである。無線インターフェイスに使用されるチャンネル構造は、ＥＴＳＩ／ＧＳＭ推奨勧告０５．０２に詳細に規定されている。通常の動作中に、１つのタイムスロットが通話の始めにトラフィックチャンネルとして搬送波周波数から移動ステーションＭＳへ割り当てられる（単一スロットアクセス）。移動ステーションＭＳは、高周波バーストを送信及び受信するために、その割り当てられたタイムスロットに同期される。フレームの残りの時間中に、ＭＳは、異なる測定を実行する。本出願人の出願中の特許出願ＷＯ９５／３１８７８及びＰＣＴ／ＦＩ９５／００６７３は、１つのトラフィックチャンネルで与えることのできる以上の高いレートでデータ送信を必要とする移動ステーションＭＳに２つ以上のタイムスロットを割り当てる方法を開示している。この手順の詳細については、上記特許出願を参照されたい。
以下、図２を参照し、無線システムにおいて多数の並列なトラフィックチャンネルに基づいて高速データ送信を実行する１つの方法として、この手順を説明する。しかしながら、本発明にとって重要な唯一の事柄は、多数の並列なトラフィックチャンネルより成る接続が確立されることであり、本発明それ自体は、このような接続を経てデータ送信を実行しそしてその同期をとることに係るという点に注意されたい。
図２は、次々のタイムスロット０及び１が単一のＴＤＭＡフレームから移動ステーションＭＳに割り当てられる例を示している。無線経路を経て送信されるべき高速データ信号ＤＡＴＡＩＮは、分割器８２において所要数の低速データ信号即ちＤＡＴＡ１及びＤＡＴＡ２に分割される。各々の低速データ信号即ちＤＡＴＡ１及びＤＡＴＡ２は、チャンネルコード化、インターリーブ、バースト形成、及び変調８０及び８１を各々別々に受け、その後に、各々の低速データ信号は、専用のタイムスロット０及び１において高周波バーストとして送信される。低速データ信号ＤＡＴＡ１及びＤＡＴＡ２は、無線経路を経、異なるトラフィックチャンネルを通して送信されると、受信器において、復調、インターリーブ解除、及びチャンネルデコード動作８３及び８４を各々別々に受け、その後に、信号ＤＡＴＡ１及びＤＡＴＡ２は、受信器の合成器８５において元の高速信号ＤＡＴＡＯＵＴへと再合成される。
図３は、多数の並列のトラフィックチャンネルを用いてデータ送信を実行するＧＳＭネットワークアーキテクチャーを示すブロック図である。図２のブロック８０、８１、８３及び８４の機能、即ちチャンネルコード化、インターリーブ、バースト形成及び変調、並びにそれに対応的に、復調、インターリーブ解除及びチャンネルデコード動作は、固定ネットワークの側、好ましくはベースステーションＢＴＳに配置されている。従って、上記のＴＤＭＡフレームは、ベースステーションＢＴＳと移動ステーションＭＳとの間で無線インターフェイス「無線Ｉ／Ｆ」において送信される。各タイムスロットは、ベースステーションＢＴＳにおいて個別の並列処理を受ける。図２の分割器８２及び合成器８５は、ベースステーションＢＴＳから離れた固定ネットワークの側でＢＳＣのような別のネットワーク要素に配置され、その際に、低速のデータ信号ＤＡＴＡ１及びＤＡＴＡ２は、通常のトラフィックチャンネルの信号と同様にこのネットワーク要素とベースステーションとの間に送信される。ＧＳＭシステムでは、この通信は、ＥＴＳＩ／ＧＳＭ推奨勧告０８．６０に基づきベースステーションＢＴＳと特殊なトランスコーダ／レートアダプタユニット（ＴＲＣＵ）との間でＴＲＡＵフレームにおいて行われる。ＴＲＡＵフレーム及びそれに関連した送信は、本発明にとって重要ではない。というのは、本発明は、多数の並列トラフィックチャンネルを用いた全データ接続を経て即ち分割器８２と合成器８５との間でデータ送信を実行しそしてその同期をとることに係るからである。
ＧＳＭシステムでは、移動ステーションＭＳのターミナルアダプタ３１と固定ネットワークのインターワーキングファンクションＩＷＦ３２との間にデータリンクが形成される。ＧＳＭネットワークで行われるデータ送信においては、この接続は、Ｖ．２４インターフェイスに適応されたＶ．１１０レート適応のＵＤＩコード化デジタル９．６Ｋｂｐｓの全二重接続である。ここに述べるＶ．１１０接続は、ＩＳＤＮ（サービス総合データ網）技術に対して最初に開発された即ちＶ．２４インターフェイスに適応されたデジタル送信チャンネルであって、Ｖ．２４状態（制御信号）を送信する機能も果たすデジタル送信チャンネルである。Ｖ．１１０レート適応接続に対するＣＣＩＴＴ推奨勧告は、ＣＣＩＴＴブルーブック：Ｖ．１１０に規定されている。Ｖ．２４インターフェイスに対するＣＣＩＴＴ推奨勧告は、ＣＣＩＴＴブルーブック：Ｖ．２４に規定されている。ターミナルアダプタ３１は、移動ステーションＭＳに接続されたデータターミナルを、多数のトラフィックチャンネルｃｈ０ないしｃｈＮを用いた物理的接続を介して確立されたＶ．１１０接続に適応させる。ＩＷＦは、Ｖ．１１０接続を、ＩＳＤＮ又は別のＧＳＭネットワークのような別のＶ．１１０ネットワーク、或いは公衆交換電話ネットワークＰＳＴＮのような他のトランシットネットワークに接続する。最初のケースにおいては、ＩＷＦは、本発明による分割器／合成器８２／８５のみを含む。後者のケースにおいては、ＩＷＦは、例えば、ＰＳＴＮを経てデータ送信を実行するベースバンドモデムも含む。
Ｖ．１１０接続（９．６Ｋｂｐｓ）においてデータを送信するのに使用されるフレーム構造が図４に示されている。このフレームは、８０ビットを含む。オクテット０は、２進０を含み、一方、オクテット５は２進１を含み、その後に７つのＥビットが続く。オクテット１ないし４及び６ないし９は、ビット位置１に２進１を含み、ビット位置８に状態ビット（Ｓ又はＸビット）を含み、そしてビット位置２ないし７に６つのデータビット（Ｄビット）を含む。これらビットは、左から右へそして上から下へ送信される。従って、フレームは、４８の情報ビットＤ１ないしＤ４８（ユーザデータ）を含む。ビットＳ及びＸは、データ送信モードのデータビットに関連したチャンネル制御情報を送信するのに使用される。
上記のように、このような高速データ送信に関連した問題は、テレコミュニケーションシステムの現存の方法にレート適応させることのできないデータレートである。例えば、ＧＳＭシステムでは、このようなレートに含まれる全てのデータレートは、９．６Ｋｂｐｓの倍数ではない。
これは、本発明では、できるだけ多数のトラフィックチャンネルの全容量が最初にユーザデータの送信に使用され、その後、これらの「全レート」トラフィックチャンネルから残されたユーザデータが１つの「低いレート」のトラフィックチャンネルを経てスタブビットと共に送信されるように、送信器において高速ユーザデータ信号を並列なトラフィックチャンネルへと分割することにより解決される。本発明によるこの方法を以下に一般的に説明する。
高速ユーザデータ信号に必要とされそして図２の分割器８２に到着するデータ転送レートＲuserが、（ｎ−１）＊Ｒch＜Ｒuser＜ｎ＊Ｒchの範囲内にあると仮定する。但し、Ｒchは、個々のトラフィックチャンネルの最大送信レートでありそして整数ｎ≧２とする。このような場合、信号ＤＡＴＡ  ＩＮ（データ入力）は、固定ネットワーク（例えば、ＭＳＣ）により割り当てられたｎ個の並列なトラフィックチャンネルを必要とする。分割器８２は、データ信号ＤＡＴＡ  ＩＮを送信フレームへと分割し、これら送信フレームは、図５に示すように、割り当てられた並列なトラフィックチャンネルを経て送信される。トラフィックチャンネルｃｈ１、ｃｈ２及びｃｈ（ｎ−１）の送信フレームにおける全ての情報ビットは、ユーザデータビットであり、ユーザデータの送信レートは、これら全てのトラフィックチャンネルにおいてＲchである。それ故、トラフィックチャンネルｃｈ１、ｃｈ２及びｃｈ（ｎ−１）は、（ｎ−１）＊Ｒchの全送信レートでユーザデータを搬送する。最後のトラフィックチャンネルｃｈｎの情報ビットは、他のトラフィックチャンネルから残されたユーザデータ転送レートＲuser−（ｎ−１）＊Ｒchに対応する量のみのユーザデータビットＤＡＴＡを含み、残りの情報ビットは、スタフビットＦＩＬＬ（充填）である。これらのフレームは、送信器８０及び８１を経て受信器８３及び８４へ送信され、そして合成器８５において合成され、高速ユーザデータ信号ＤＡＴＡ  ＯＵＴ（データ出力）を形成する。分割器８２と合成器８５との間のトラフィックチャンネルは、標準レート適応された相互に同一のトラフィックチャンネルである。それ故、各々の標準的なユーザ送信レートごとに別々に移動システムに新たなレート適応を導入する必要はない。
ＧＳＭシステムへの本発明の適用を以下に説明する。レート適応された透過的な全レート９．６Ｋｂｐｓのトラフィックチャンネルが並列なトラフィックチャンネルとして使用され、図４のＶ．１１０フレームがこれらチャンネルを経て送信されるものと仮定する。従って、フレームは、４８個の情報ビットＤ１−Ｄ４８を含む。
高速データをＧＳＭトラフィックチャンネルのこのようなＶ．１１０フレームに適応する幾つかの例を以下に説明する。
例１
ユーザデータレートがＲuser＝５６Ｋｂｐｓであり、６個の並列なＧＳＭトラフィックチャンネルが必要とされる（Ｒch＝９．６Ｋｂｐｓ）と仮定する。本発明によるレート適応は、図６に示すように行われる。トラフィックチャンネルｃｈ１、ｃｈ２、ｃｈ３、ｃｈ４及びｃｈ５の各Ｖ．１１０フレームにおける４８個の全情報ビットＤ１−Ｄ４８は、ユーザデータを保持し、これらの各チャンネルにおけるユーザデータレートは、９．６Ｋｂｐｓである。それ故、チャンネルｃｈ１−ｃｈ５の全送信レートは、５＊９．６Ｋｂｐｓ＝４８Ｋｂｐｓである。従って、残りのユーザ送信レートは、５６−４８Ｋｂｐｓ＝８Ｋｂｐｓであり、これが最後のトラフィックチャンネルｃｈ６を経て送信される。これは、トラフィックチャンネルｃｈ６の各Ｖ．１１０フレームにおける４０の情報ビット（例えば、Ｄ１−Ｄ４０）がユーザデータビットを保持し、そして８個の情報ビット（例えば、Ｄ４１−Ｄ４８）がスタフビットを保持するように行われる。このように、６個のＧＳＭトラフィックチャンネルを経て５６Ｋｂｐｓの信号を送信することができる。
例２
ユーザデータレートがＲuser＝１４．４Ｋｂｐｓであると仮定する。２つのトラフィックチャンネル（Ｒch＝９．６Ｋｂｐｓ）が必要とされる。このような場合に、第１のトラフィックチャンネルのＶ．１１０フレームの全ての情報ビットＤ１−Ｄ４８は、ユーザデータビットを保持し、送信レートは９．６Ｋｂｐｓである。残りのデータレート即ち１４．４−９．６Ｋｂｐｓ＝４．８Ｋｂｐｓは、第２のトラフィックチャンネルに対して適応され、各Ｖ．１１０フレームの２４個の情報ビット（例えば、Ｄ１−Ｄ２４）がユーザデータを保持し、そして２４個の情報ビット（例えば、Ｄ２５−Ｄ４８）がスタフビットを保持する。
例３
ユーザデータレートがＲuser＝２６．４Ｋｂｐｓであり、３つのトラフィックチャンネル（Ｒch＝９．６Ｋｂｐｓ）が必要であると仮定する。このような場合に、２つのトラフィックチャンネルのＶ．１１０フレームにおける全ての情報ビットＤ１−Ｄ４８は、ユーザデータを保持する。これら２つのトラフィックチャンネルの全送信レートは、１９．２Ｋｂｐｓである。残りのデータレート、即ち２６．４−１９．２Ｋｂｐｓ＝７．２Ｋｂｐｓは、第３のチャンネルに対して適応され、各Ｖ．１１０フレームの３６個の情報ビット（例えば、Ｄ１−Ｄ３６）がユーザデータを保持し、そして１２の情報ビット（例えば、Ｄ３７−Ｄ４８）がスタフビットを保持する。
例４
ユーザデータレートがＲuser＝３８．４Ｋｂｐｓであり、４つのトラフィックチャンネル（Ｒch＝９．６Ｋｂｐｓ）が必要であると仮定する。ユーザデータレートは、４つのトラフィックチャンネルに均一に分割され、全てのトラフィックチャンネルの全容量が使用されるので、スタフビットは、いかなるトラフィックチャンネルにも必要とされない。
以上、幾つかの実施形態を参照して本発明を説明したが、これは単に本発明を例示するものに過ぎず、請求の範囲に規定された本発明の精神及び範囲から逸脱せずに多数の変更や修正がなされ得ることが理解されよう。
【図１】
0003913270.tif 000002
【図４】
0003913270.tif 000003
【図２】
0003913270.tif 000004
【図３】
0003913270.tif 000005
【図５】
0003913270.tif 000006
【図６】
0003913270.tif 000007